(57)【要約】  無段変速機に供給する油圧を制御する油圧制御装置であって、ライン圧が入力される入力ポートと、第２プーリの油室に第２プーリ圧を供給する出力ポートと、油室から第２プーリ圧を排出するドレンポートと、パイロット圧に応じて移動し、第２プーリ圧を調圧するスプールとを有する調圧弁と、パイロット圧を制御するソレノイド弁と、第２プーリ圧、及び第１プーリの第１プーリ圧に基づいてライン圧を制御するライン圧制御部と、ライン圧と第２プーリ圧とを同圧にする場合に、パイロット圧を設定圧から一時的に変更する油圧制御部と、を備える。
2015125718.tif 000002
【特許請求の範囲】
【請求項１】
第１プーリ、第２プーリ間に動力伝達部材を掛け回して構成される無段変速機に供給する油圧を制御する油圧制御装置であって、
ライン圧が入力される入力ポートと、前記第２プーリの油室に第２プーリ圧を供給する出力ポートと、前記油室から前記第２プーリ圧を排出するドレンポートと、パイロット圧に応じて移動し、前記第２プーリ圧を調圧するスプールとを有する調圧弁と、
前記パイロット圧を制御するソレノイド弁と、
前記第２プーリ圧、及び前記第１プーリの第１プーリ圧に基づいて前記ライン圧を制御するライン圧制御手段と、
前記ライン圧と前記第２プーリ圧とを同圧にする場合に、前記パイロット圧を設定圧から一時的に変更する油圧制御手段と、
を備えること油圧制御装置。
【請求項２】
請求項１に記載の油圧制御装置であって、
前記油圧制御手段は、前記パイロット圧を前記設定圧から一時的に高くする、
油圧制御装置。
【請求項３】
請求項１または２に記載の油圧制御装置であって、
前記油圧制御手段によって前記パイロット圧を前記設定圧から一時的に高くし、前記入力ポートと前記出力ポートとの間に形成される流路の流通面積を大きくした場合の前記第２プーリ圧の増加量が所定量よりも低い場合に、前記ライン圧と前記第２プーリ圧とが同圧となると判定する判定手段を備える、
油圧制御装置。
【請求項４】
請求項３に記載の油圧制御装置であって、
前記油圧制御手段は、前記流通面積を大きくし、前記第２プーリ圧が高くなった場合には、前記第２プーリ圧が高くなったときの前記第２プーリ圧の最大圧と、前記ライン圧の指示圧における所定低下量とに基づいて、次回のパイロット圧増加時期を設定する、
油圧制御装置。
【請求項５】
請求項４に記載の油圧制御装置であって、
前記油圧制御手段は、前記最大圧を推定ライン圧として設定し、前記推定ライン圧から前記所定低下量で低下させた予測ライン圧が前記第２プーリ圧と等しくなる時間を前記次回のパイロット圧増加時期として設定する、
油圧制御装置。
【請求項６】
請求項４または５に記載の油圧制御装置であって、
前記油圧制御手段は、前記ライン圧の指示圧が高くなった場合には、前記ライン圧の指示圧が高くなった時間、前記次回のパイロット圧増加時期を遅らせる、
油圧制御装置。
【請求項７】
請求項３に記載の油圧制御装置であって、
前記油圧制御手段は、前記流通面積を大きくし、前記第２プーリ圧が高くなった場合には、前記第２プーリ圧の増加量に基づいて、次回のパイロット圧増加時期を設定する、
油圧制御装置。
【請求項８】
請求項７に記載の油圧制御装置であって、
前記油圧制御手段は、前記ライン圧の指示圧が前記増加量分低下した時に、前記パイロット圧を前記設定圧から一時的に高くする、
油圧制御装置。
【請求項９】
請求項１または２に記載の油圧制御装置であって、
前記油圧制御手段によって前記パイロット圧を前記設定圧から一時的に高くし、前記入力ポートと前記出力ポートとの間に形成された流路の流通面積を大きくした場合に、前記流通面積を大きくすることによって変速比が変更されない場合に、前記ライン圧と前記第２プーリ圧とが同圧となると判定する判定手段を備える、
油圧制御装置。
【請求項１０】
請求項１から９のいずれか一つに記載の油圧制御装置であって、
前記調圧弁では、前記第２プーリ圧がフィードバック圧として作用し、前記パイロット圧、及び前記フィードバック圧に基づいて前記スプールが移動する、
油圧制御装置。
【請求項１１】
第１プーリ、第２プーリ間に動力伝達部材を掛け回して構成される無段変速機に供給する油圧を制御する油圧制御装置の制御方法であって、
前記油圧制御装置は、
ライン圧が入力される入力ポートと、第２プーリの油室に第２プーリ圧を供給する出力ポートと、前記油室から前記第２プーリ圧を排出するドレンポートと、パイロット圧に応じて移動し、前記第２プーリ圧を調圧するスプールとを有する調圧弁と、
前記パイロット圧を制御するソレノイド弁と、
を備え、
前記制御方法は、
前記第２プーリ圧、及び前記第１プーリの第１プーリ圧に基づいて前記ライン圧を制御し、
前記ライン圧と前記第２プーリ圧とを同圧にする場合に、前記パイロット圧を設定圧から一時的に変更する、
制御方法。
【発明の詳細な説明】
【技術分野】
【０００１】
本発明は油圧制御装置に関するものである。
【背景技術】
【０００２】
車両用自動変速機の油圧制御装置において、低温時における信号圧油路の油圧ロックを防止し、油圧制御弁の応答性を向上するものが特許文献１に開示されている。【０００３】
ＪＰ２００１−２３５０１３Ａでは、リニアソレノイド弁から油圧制御弁の信号油室へ信号圧を供給する信号圧油路に信号圧の一部をドレンする油圧ロック防止用油路を設けている。これにより、油圧ロックを防止し、出力ポートとドレンポートとを素早く連通することができる。
【発明の概要】
【０００４】
ライン圧を元圧としてプライマリ圧、及びセカンダリ圧を調圧する両調圧タイプの無段変速機において、ライン圧を低くすることができると、ライン圧を生成するオイルポンプの吐出圧を低くすることができ、オイルポンプを駆動する駆動源の燃費を向上することができる。ライン圧と、プライマリ圧及びセカンダリ圧のうち高圧側のプーリ圧とを同圧とすると、オイルポンプを駆動する駆動源の燃費をさらに向上することができる。
【０００５】
ライン圧と、例えばセカンダリ圧とを同圧とする場合には、ライン圧が入力される入力ポート、及びセカンダリプーリにセカンダリ圧を供給する出力ポートの開口面積を最大とする。これにより調圧弁においてライン圧を減圧せずに、ライン圧をセカンダリ圧として出力ポートを介してセカンダリプーリシリンダ室に供給する。調圧弁を調圧状態からライン圧とセカンダリ圧とが同圧となる同圧状態にするときは、ライン圧をセカンダリ圧以下に下げてゆき、同圧とする。調圧状態において、セカンダリ指示圧よりセカンダリ実圧が高い状態では、調圧弁のスプールは、ドレン側に調圧ポイントがあり、その状態でライン圧を下げても入力ポートと出力ポートとは連通しない。特に、油温が低く、油の粘度が高い場合には、スプールの動作が遅く、調圧弁の膠着状態を崩すための時間が長くなり、ポートの開口面積を素早く大きくすることができない。
【０００６】
これに対し、調圧弁のスプールに信号圧をかけることで、スプールを作動させてポートの開口面積を大きくすることができる。
【０００７】
しかし、ライン圧とセカンダリ圧との差圧が大きい状態で、ポートの開口面積を大きくすると、セカンダリ圧の変動が大きくなり変速ショックが発生するので、ライン圧とセカンダリ圧との差圧が十分に小さくなってから入力ポートと出力ポートとを連通させることが望ましい。ライン圧がセカンダリ圧と同圧となったことは、ライン圧を検出するライン圧センサを設けることで検知することができる。
【０００８】
しかし、ライン圧センサを用いずに、プライマリ圧を検出するプライマリ圧センサとセカンダリ圧を検出するセカンダリ圧センサとからの信号に基づいてライン圧を推定する場合がある。このような無段変速機においては、入力ポートと出力ポートとが連通していない状態で、ライン圧とセカンダリ圧とを同圧とする場合には、実際にはライン圧が指示圧に応じて低下しても、推定されるライン圧は指示圧に応じて低下していないと判定され、ライン圧の指示圧がさらに低下し、ライン圧がさらに低下し、ライン圧がセカンダリ圧よりも低くなることがある。その後、調圧弁の膠着状態が崩れ、ポートの開口面積が大きくなると、セカンダリ圧とライン圧との差圧に応じてセカンダリ圧が急激に低下し、無段変速機が変速し、大きな変速ショックが発生するおそれがある。このように、ポートの開口面積を大きくするタイミングが遅くなると、大きな変速ショックが発生するおそれがある。
【０００９】
本発明はこのようなことに鑑みてなされたものであり、ライン圧センサを設けておらず、ライン圧と例えばセカンダリ圧とを同圧とする場合に、セカンダリ圧の急変による変速ショックの発生を抑制することを目的とする。
【００１０】
本発明のある態様に係る油圧制御装置は、第１プーリ、第２プーリ間に動力伝達部材を掛け回して構成される無段変速機に供給する油圧を制御する油圧制御装置であって、ライン圧が入力される入力ポートと、第２プーリの油室に第２プーリ圧を供給する出力ポートと、油室から第２プーリ圧を排出するドレンポートと、パイロット圧に応じて移動し、第２プーリ圧を調圧するスプールとを有する調圧弁と、パイロット圧を制御するソレノイド弁と、第２プーリ圧、及び第１プーリの第１プーリ圧に基づいてライン圧を制御するライン圧制御部と、ライン圧と第２プーリ圧とを同圧にする場合に、パイロット圧を設定圧から一時的に変更する油圧制御部と、を備える。
【００１１】
本発明の別の態様に係る油圧制御方法は、第１プーリ、第２プーリ間に動力伝達部材を掛け回して構成される無段変速機に供給する油圧を制御する油圧制御装置の制御方法であって、油圧制御装置は、ライン圧が入力される入力ポートと、第２プーリの油室に第２プーリ圧を供給する出力ポートと、油室から第２プーリ圧を排出するドレンポートと、パイロット圧に応じて移動し、第２プーリ圧を調圧するスプールとを有する調圧弁と、パイロット圧を制御するソレノイド弁と、を備え、制御方法では、第２プーリ圧、及び第１プーリの第１プーリ圧に基づいてライン圧を制御し、ライン圧と第２プーリ圧とを同圧にする場合に、パイロット圧を設定圧から一時的に変更する。
【００１２】
これら態様によると、ライン圧センサを設けていない場合であっても、ライン圧と第２プーリ圧とを同圧とする場合に、第２プーリ圧の急変による変速ショックの発生を抑制することができる。
【図面の簡単な説明】
【００１３】
【図１】図１はベルト式無段変速機の油圧制御装置を示す概略構成図である。
【図２】図２は調圧弁の概略構成図である。
【図３】図３は同圧制御を説明するフローチャートである。
【図４】図４は同圧制御を説明するタイムチャートである。
【発明を実施するための形態】
【００１４】
以下では図面等を参照して本発明の実施形態について詳しく説明する。図１は本実施形態におけるベルト式無段変速機１０の油圧制御装置を示す概略構成図である。ベルト式無段変速機（以下「無段変速機」という。）１０は、プライマリプーリ１１と、セカンダリプーリ１２と、ベルト１３と、ＣＶＴコントロールユニット２０（以下「ＣＶＴＣＵ」という。）と、油圧コントロールユニット３０とを備える。無段変速機１０は、両調圧式の無段変速機である。
【００１５】
なお、無段変速機１０の変速比は、プライマリプーリ１１の回転速度をセカンダリプーリ１２の回転速度で除した値であり、変速比が大きい場合を「Ｌｏｗ」、小さい場合を「Ｈｉｇｈ」とし、変速比がＬｏｗ側へ変更されることをダウンシフト、Ｈｉｇｈ側へ変更されることをアップシフトという。
【００１６】
プライマリプーリ１１は、入力軸１１ｄと一体となって回転する固定円錐板１１ｂと、固定円錐板１１ｂに対向配置されてＶ字状のプーリ溝を形成するとともに、プライマリプーリシリンダ室１１ｃへ作用する油圧によって軸方向へ変位可能な可動円錐板１１ａとを備える。プライマリプーリ１１は、前後進切り替え機構３、ロックアップクラッチを備えたトルクコンバータ２を介してエンジン１に連結され、エンジン１の回転が入力される。
【００１７】
ベルト１３は、プライマリプーリ１１及びセカンダリプーリ１２に巻き掛けられ、プライマリプーリ１１の回転をセカンダリプーリ１２に伝達する。
【００１８】
セカンダリプーリ１２は、出力軸１２ｄと一体となって回転する固定円錐板１２ｂと、固定円錐板１２ｂに対向配置されてＶ字状のプーリ溝を形成するとともに、セカンダリプーリシリンダ室１２ｃへ作用する油圧に応じて軸方向へ変位可能な可動円錐板１２ａとを備える。セカンダリプーリ１２は、アイドラギア１４及びアイドラシャフトを介してディファレンシャル４に連結されており、このディファレンシャル４に回転を出力する。
【００１９】
エンジン１の回転は、トルクコンバータ２、前後進切り替え機構３を介して無段変速機１０へ入力され、プライマリプーリ１１からベルト１３、セカンダリプーリ１２を介してディファレンシャル４へ伝達される。
【００２０】
ＣＶＴＣＵ２０は、インヒビタスイッチ２３、アクセルペダルストローク量センサ２４、油温センサ２５、プライマリプーリ回転速度センサ２６、セカンダリプーリ回転速度センサ２７、プライマリ圧センサ２８、セカンダリ圧センサ２９等からの信号や、エンジンコントロールユニット（ＥＣＵ）２１からの入力トルク情報に基づいて、予め記憶されている変速線を参照して変速比を決定し、油圧コントロールユニット３０に指令を送信して、無段変速機１０を制御する。
【００２１】
油圧コントロールユニット３０は、ＣＶＴＣＵ２０からの指令に基づいて応動する。油圧コントロールユニット３０は、プライマリプーリ１１及びセカンダリプーリ１２に対して油圧を給排し、可動円錐板１１ａ及び可動円錐板１２ａを回転軸方向に往復移動させている。これにより無段変速機１０の変速比が変更される。
【００２２】
油圧コントロールユニット３０は、レギュレータバルブ３１と、調圧弁３２と、調圧弁３３とを備える。
【００２３】
レギュレータバルブ３１は、ソレノイド弁３１ａを有し、油圧オイルポンプ３４から圧送された油圧を、ＣＶＴＣＵ２０からの指令（例えば、デューティ信号など）に応じて所定のライン圧に調圧する。
【００２４】
調圧弁３２は、レギュレータバルブ３１によって調圧されたライン圧を所望のプライマリ圧に制御する制御弁である。調圧弁３２は、ＣＶＴＣＵ２０からの指令（例えば、デューティ信号など）に応じてソレノイド弁３２ａによって作り出されたパイロット圧に基づいて、ライン圧からプライマリ圧を作り出す。
【００２５】
調圧弁３３は、レギュレータバルブ３１によって調圧されたライン圧を所望のセカンダリ圧に制御する制御弁である。調圧弁３３は、ＣＶＴＣＵ２０からの指令（例えば、デューティ信号など）に応じてソレノイド弁３３ａによって作り出されたパイロット圧に基づいて、ライン圧からセカンダリ圧を作り出す。調圧弁３３について図２を用いて説明する。
【００２６】
調圧弁３３には、ライン圧が入力される入力ポート４０と、セカンダリプーリシリンダ室１２ｃにセカンダリ圧を供給する出力ポート４１と、セカンダリプーリシリンダ室１２ｃからセカンダリ圧を排出するドレンポート４２とが形成されている。調圧弁３３は、出力ポート４１と、入力ポート４０、またはドレンポート４２との間に形成される流路の流通面積を変更するスプール４３を備える。調圧弁３３ではスプール４３によって入力ポート４０、またはドレンポート４２の開口面積が変更されることで、出力ポート４１と、入力ポート４０、またはドレンポート４２との間に形成される流路の流通面積が変更される。
【００２７】
調圧弁３３には、スプール４３の移動方向における一方の端部にパイロット室４４が形成され、もう一方の端部にフィードバック室４５が形成される。パイロット室４４には、ＣＶＴＣＵ２０からの指令に応じてソレノイド弁３３ａによって作り出されたパイロット圧が入力される。パイロット室４４には、スプール４３をフィードバック室４５側へ付勢するバネ４６が設けられている。フィードバック室４５には、セカンダリ圧の一部がフィードバック圧として入力される。
【００２８】
スプール４３は、バネ４６、及びパイロット圧による押し力と、フィードバック圧による押し力とに応じて移動し、入力ポート４０と出力ポート４１との間に形成される流路の流通面積、及び出力ポート４１とドレンポート４２との間に形成される流路の流通面積を変更する。バネ４６、及びパイロット圧による押し力がフィードバック圧による押し力よりも大きい場合には、スプール４３はフィードバック室４５側へ移動し、入力ポート４０と出力ポート４１との間に形成される流路の流通面積が大きくなり、流通面積に応じてライン圧が調圧されてセカンダリプーリシリンダ室１２ｃにセカンダリ圧として供給される。バネ４６、及びパイロット圧による押し力がフィードバック圧による押し力よりも小さい場合には、スプール４３はパイロット室４４側へ移動し、出力ポート４１とドレンポート４２との間に形成される流路の流通面積を大きくし、セカンダリプーリシリンダ室１２ｃから油圧が排出され、セカンダリ圧が低下する。
【００２９】
本実施形態の無段変速機１０は両調圧式であるが、プライマリ圧の指示圧、及びセカンダリ圧の指示圧に対して実プライマリ圧、及び実セカンダリ圧が振動し、変速比が振動する（変更される）ことがある。この原因として、実プライマリプーリ圧、及び実セカンダリ圧の変動、つまりプライマリプーリシリンダ室１１ｃ、及びセカンダリプーリシリンダ室１２ｃの油量の変化が挙げられる。この油量の変化を素早く収束させることで、変速比の振動を抑制することができる。油量の変化を素早く収束させるために、調圧弁３３において、入力ポート４０と出力ポート４１との間に形成される流路の流通面積が最大となるように入力ポート４０の開口面積を最大にし、セカンダリプーリシリンダ室１２ｃへの供給油量を多くし、ライン圧とセカンダリ圧とを同圧にする同圧制御を実行することが考えられる。つまり、両調圧式の無段変速機１０を、ライン圧を減圧せずに直接、セカンダリプーリシリンダ室１２ｃに供給する片調圧式として用いることが考えられる。
【００３０】
ライン圧は、プライマリ圧、及びセカンダリ圧の元圧となるため、通常、ばらつきを考慮して、プライマリ圧、及びセカンダリ圧よりも高く設定されているが、同圧制御を実行することで、同圧制御を実行していない場合よりもライン圧を低くすることができる。そのため、油圧オイルポンプ３４の吐出圧を低くすることができ、油圧オイルポンプ３４を駆動するための駆動源、例えばエンジン１における燃費を向上することができる。
【００３１】
ライン圧とセカンダリ圧とを同圧とする場合に、ライン圧とセカンダリ圧との差圧が大きい状態で、入力ポート４０と出力ポート４１との間に形成される流路の流通面積が大きくなると、セカンダリ圧が急変し、変速ショックが大きくなる。そのため、ライン圧とセカンダリ圧との差圧が小さい状態で、入力ポート４０と出力ポート４１との間に形成される流路の流通面積を大きくする必要があり、ライン圧とセカンダリ圧との差圧が小さくなっていることを検知する必要がある。
【００３２】
本実施形態では、ライン圧センサを設けていないため、ライン圧を直接検出することができず、プライマリ圧センサ２８によって検出されるプライマリ圧とセカンダリ圧センサ２９によって検出されるセカンダリ圧とに基づいてライン圧は推定される。
【００３３】
しかし、スプール４３によって入力ポート４０と出力ポート４１とが連通しておらず（流通面積ゼロ）、出力ポート４１とドレンポート４２とが連通している場合、または入力ポート４０と出力ポート４１との間に形成される流路の流通面積が小さい場合には、ライン圧の指示圧を低下させ、ライン圧を低下させても、ライン圧の低下に従ってセカンダリ圧が低下しないことがある。そのため、セカンダリ圧に基づいて推定されるライン圧が低下していない、または低下が遅いと判定され、ライン圧の指示圧がさらに低下し、ライン圧がセカンダリ圧よりも低くなることがあり、ライン圧とセカンダリ圧との差圧が大きくなることがある。
【００３４】
この状態で、入力ポート４０と出力ポート４１との間に形成される流路の流通面積が大きくなると、セカンダリ圧が急減し、大きな変速ショックが発生する。このような現象は、特に油温が低く、油の粘性が高い場合、またはアップシフト時など、調圧弁３３が膠着状態となった場合に生じることが多い。
【００３５】
アップシフトでは、プライマリ圧が高くなり、プライマリプーリ１１のプーリ溝が狭くなり、ベルト１３がプライマリプーリ１１側に引かれることによってセカンダリプーリ１２の可動円錐板１２ａが軸方向に後退し、セカンダリプーリシリンダ室１２ｃから油圧が排出される。このとき、調圧弁３３では、セカンダリプーリシリンダ室１２ｃから排出される油圧の一部がフィードバック圧としてフィードバック室４５に供給され、パイロット圧、及びバネ４６による押し力よりも、フォードバック圧による押し力が大きくなり、スプール４３がパイロット室４４側へ移動することで、入力ポート４０と出力ポート４１との間に形成される流路の流通面積が小さくなる。そのため、アップシフト時に上記する現象が発生し易くなる。
【００３６】
そこで、本実施形態では、以下で説明する同圧制御を実行している。図３は同圧制御を説明するフローチャートである。
【００３７】
ステップＳ１００では、ＣＶＴＣＵ２０は、無段変速機１０が変速中であるかどうか判定する。処理は変速中である場合にはステップＳ１０１に進み、変速中ではない場合には本制御を終了する。
【００３８】
ステップＳ１０１では、ＣＶＴＣＵ２０は、アップシフトであるかどうか判定する。処理はアップシフトである場合にはステップＳ１０２に進み、ダウンシフトである場合には本制御を終了する。
【００３９】
ステップＳ１０２では、ＣＶＴＣＵ２０は、変速比が所定変速比よりも大きいかどうか判定する。所定変速比は、セカンダリ圧がプライマリ圧よりも高くなる変速比であり、予め設定されており、例えばスロットル開度が３／８以上となる変速比である。処理は、変速比が所定変速比よりも大きい場合にはステップＳ１０３に進み、変速比が所定変速比以下である場合には本制御を終了する。
【００４０】
ステップＳ１０３では、ＣＶＴＣＵ２０は、同圧制御における初期設定を行う。具体的には、後述するパイロット圧増加時期、及び所定増加値を予め設定された初期時間、及び初期増加量に設定する。
【００４１】
ステップＳ１０４では、ＣＶＴＣＵ２０は、同圧制御の実行条件を満たすかどうか判定する。ＣＶＴＣＵ２０は、ステップ１０１、ステップＳ１０２の条件に加えて、例えばセカンダリ圧が設定された所定圧よりも高く、かつエンジン回転速度が設定された所定回転速度よりも高い場合に同圧制御の実行条件を満たすと判定する。処理は、同圧制御の実行条件を満たす場合にはステップＳ１０５に進み、同圧制御の実行条件を満たさない場合には本制御を終了する。
【００４２】
ステップＳ１０５では、ＣＶＴＣＵ２０は、タイマのカウントを開始する。
【００４３】
ステップＳ１０６では、ＣＶＴＣＵ２０は、ライン圧を低下する。具体的には、ＣＶＴＣＵ２０は、ライン圧の指示圧を単位時間当たり所定低下量で低下させ、ライン圧を低下する。所定低下量は予め設定されている。これにより、ライン圧は徐々に低下する。
【００４４】
ステップＳ１０７では、タイマのカウントがパイロット圧増加時期となったかどうか判定する。パイロット圧増加時期は、ライン圧の低下を開始してから後述するステップＳ１１５において更新されるまでは、ステップＳ１０３によって設定された初期時間であり、後述するステップＳ１１５によって更新された場合には、更新された時間である。カウントがパイロット圧増加時期となると、処置はステップＳ１０８に進む。
【００４５】
ステップＳ１０８では、ＣＶＴＣＵ２０は、セカンダリ圧センサ２９からの信号に基づいてセカンダリ圧を検出する。
【００４６】
ステップＳ１０９では、ＣＶＴＣＵ２０は、基礎パイロット圧（設定圧）に、所定増加量を加算して、パイロット圧を増加する。基礎パイロット圧は、同圧制御を実行しない場合のパイロット圧であり、予め設定されている。所定増加量は、入力ポート４０と出力ポート４１との間に形成される流路の流通面積を大きくするように設定される値であり、例えば入力ポート４０と出力ポート４１とが連通していない場合には、少なくとも入力ポート４０と出力ポート４１とが連通し、また入力ポート４０と出力ポート４１とが既に連通している場合には、流通面積をさらに大きくする値である。具体的には、所定増加量は、ライン圧の低下を開始してから後述するステップＳ１１４によって更新されるまでは、ステップＳ１０３によって設定された初期増加量であり、後述するステップＳ１１４によって更新された場合には、更新された増加量である。なお、所定増加量は、油温センサ２５によって検出される油温に基づいて補正されてもよく、その場合、油温が低くなると所定増加量は大きくなる。
【００４７】
ステップＳ１１０では、ＣＶＴＣＵ２０は、セカンダリ圧センサ２９からの信号に基づいてパイロット圧を増加した場合のセカンダリ圧を検出する。
【００４８】
ステップＳ１１１では、ＣＶＴＣＵ２０は、パイロット圧を低下させて、パイロット圧を基礎パイロット圧とする。
【００４９】
本実施形態では、ステップＳ１０９〜ステップＳ１１１において、パイロット圧を一時的に増加させて、その時のセカンダリ圧を検出する。ライン圧がセカンダリ圧よりも高い場合には、入力ポート４０と出力ポート４１との間に形成される流路の流通面積が大きくなることで、セカンダリ圧が一時的に増加する。
【００５０】
ステップＳ１１２では、ＣＶＴＣＵ２０は、パイロット圧を一時的に増加した場合のセカンダリ圧と、増加する前のセカンダリ圧との偏差を算出する。
【００５１】
ステップＳ１１３では、ＣＶＴＣＵ２０は、偏差がゼロよりも大きいかどうか判定する。つまり、パイロット圧を一時的に増加した場合に、セカンダリ圧が増加したかどうか判定する。処理は、偏差がゼロよりも大きい場合にはステップＳ１１４に進み、偏差がゼロ以下である場合にはステップ１１６に進む。なお、ばらつきを考慮した所定量を設定し、偏差と所定量とを比較し、ここでの判定を行ってもよい。
【００５２】
ステップＳ１１４では、ＣＶＴＣＵ２０は、偏差をパイロット圧に換算し、換算した値を所定増加量として更新する。ＣＶＴＣＵ２０は、次回のパイロット圧を一時的に増加する場合の所定増加量を偏差に基づいて更新する。
【００５３】
ステップＳ１１５では、ＣＶＴＣＵ２０は、次回のパイロット圧増加時期を更新する。具体的には、ＣＶＴＣＵ２０は、ライン圧が、パイロット圧を一時的に増加した際の最大セカンダリ圧になっていると仮定して推定ライン圧を設定し、推定ライン圧を所定低下量で低下させる予測ライン圧がパイロット圧を一時的に増加する前のセカンダリ圧と同圧となるまでの時間を算出し、算出した時間を現在設定されているパイロット圧増加時期に加算することでパイロット圧増加時期を更新する。これにより、その後の処理において、タイマのカウントが、更新されたパイロット圧増加時期となると、パイロット圧が一時的に増加される。
【００５４】
ステップＳ１１６では、ＣＶＴＣＵ２０は、パイロット圧を最大パイロット圧とし、入力ポート４０と出力ポート４１との間に形成される流路の流通面積を最大にする。これによって、ライン圧は調圧弁３３によって減圧されずにセカンダリプーリシリンダ室１２ｃに供給される。
【００５５】
ステップＳ１１７では、ＣＶＴＣＵ２０は、タイマをリセットする。
【００５６】
なお、同圧制御では、パイロット圧を最大パイロット圧とした後に、ライン圧の指示圧を一旦低下させ、セカンダリ圧がライン圧の指示圧とともに低下したことを確認することで、ライン圧とセカンダリ圧とが同圧となっていることを確認している。
【００５７】
次に同圧制御について図４のタイムチャートを用いて説明する。
【００５８】
時間ｔ０において、同圧制御を開始し、ライン圧を低下させ、タイマのカウントを開始する。
【００５９】
時間ｔ１において、タイマのカウントがパイロット圧増加時期となると、パイロット圧が一時的に増加する。ライン圧がセカンダリ圧よりも高いので、パイロット圧が一時的に高くなり、入力ポート４０と出力ポート４１との間に形成される流路の流通面積が大きくなることで、セカンダリ圧が一時的に高くなる。
【００６０】
時間ｔ２において、パイロット圧を一時的に増加した場合の最大セカンダリ圧を推定ライン圧として設定し、図４において破線で示すように、推定ライン圧から所定低下量で低下させる予測ライン圧がセカンダリ圧と等しくなる時間を算出し、次回のパイロット圧増加時期を更新する。
【００６１】
時間ｔ３において、タイマのカウントが更新されたパイロット圧増加時期となると、再びパイロット圧を一時的に増加する。ライン圧がセカンダリ圧よりも高いため、セカンダリ圧は高くなるが、ここでは、ライン圧が低下しており、セカンダリ圧はライン圧よりも高くならないので、入力ポート４０と出力ポート４１との間に形成される流路の流通面積を大きくしてもセカンダリ圧の増加は制限される。
【００６２】
時間ｔ４において、次回のパイロット圧増加時期が更新される。ここでは、推定ライン圧と実際のライン圧とが一致し、予測ライン圧、及び実際のライン圧はともに所定低下量で低下する。そのため、時間ｔ４において予測ライン圧に基づいて更新されるパイロット圧増加時期は、実際にライン圧とセカンダリ圧とが等しくなる時間となる。
【００６３】
時間ｔ５において、タイマのカウントが更新されたパイロット圧増加時期となると、再びパイロット圧を一時的に増加する。ライン圧とセカンダリ圧とが同圧となっているので、パイロット圧を一時的に増加させても、セカンダリ圧は高くならない。その後、パイロット圧を最大パイロット圧とし、タイマのカウントをリセットする。また、ライン圧の指示圧を一旦低下させ、増加させることで、セカンダリ圧はライン圧とともに低下し、増加する。
【００６４】
本発明の実施形態の効果について説明する。
【００６５】
同圧制御において、ライン圧とセカンダリ圧とを同圧にする場合に、パイロット圧を基礎パイロット圧から一時的に高くすることで、例えば油温が低く、入力ポート４０と出力ポート４１との間に形成される流路の流通面積が小さい場合などに生じる調圧弁３３の膠着状態を崩すことができる。これにより、ライン圧とセカンダリ圧との差圧が大きくなった後に入力ポート４０と出力ポート４１との間に形成される流路の流通面積が大きくなることを抑制することができ、セカンダリ圧の変動を抑制し、変動による変速ショックの発生を抑制することができる。
【００６６】
パイロット圧を一時的に増加した場合のセカンダリ圧と、増加する前のセカンダリ圧との偏差がゼロ以下である場合に、ライン圧とセカンダリ圧とが同圧になると判定する。ライン圧が低下し、ライン圧とセカンダリ圧との偏差がゼロ以下の場合には、少なくとも同圧制御のためにライン圧が低下していると判定することができる。そのため、このタイミングで入力ポート４０と出力ポート４１との間に形成される流路の流通面積が大きくなった場合でも、セカンダリ圧の変動を小さくすることができ、変速ショックの発生を抑制することができる。
【００６７】
次回のパイロット圧増加時期が遅くなると、ライン圧がセカンダリ圧よりも低くなり、セカンダリ圧とライン圧との偏差が大きくなるおそれがある。その後に、パイロット圧が一時的に増加すると、セカンダリ圧が急減して変速比が変更され、変速ショックが大きくなるおそれがある。また、パイロット圧を一時的に増加することで、セカンダリ圧が一時的に増加し、変速比が一時的にＬｏｗ側に変更されるので、パイロット圧を一時的に増加する回数は少ない方が望ましい。本実施形態では、パイロット圧を一時的に増加したときのセカンダリ圧の最大圧を推定ライン圧として設定し、推定ライン圧と、ライン圧の指示圧における所定低下量とに基づいて、次回のパイロット圧増加時期を設定することで、次回のパイロット圧増加時期が遅くなることを防止することができ、パイロット圧増加時期の遅れによる変速ショックを防止することができる。また、変速比がＬｏｗ側に変更される回数を少なくしつつ、ライン圧がセカンダリ圧と等しくなるタイミングを求めることができ、入力ポート４０と出力ポート４１との間に形成される流路の流通面積を大きくする際に変速ショックが発生することを抑制することができる。
【００６８】
推定ライン圧から所定低下量で低下する予測ライン圧と、セカンダリプーリ圧とが等しくなる時間を次回のパイロット圧増加時期として設定する。これにより、ライン圧とセカンダリ圧とが等しくなるタイミングを求めることができ、入力ポート４０と出力ポート４１との間に形成される流路の流通面積を大きくする際に変速ショックが発生することを抑制することができる。
【００６９】
調圧弁３３では、セカンダリ圧の一部がフィードバック圧として作用し、フィードバック圧、及びパイロット圧に基づいてスプール４３が移動する。このような調圧弁３３においては、アップシフト時にセカンダリプーリシリンダ室１２ｃから排出されるセカンダリ圧の一部がフィードバック圧として作用し、出力ポート４１とドレンポート４２とが連通する。そのため、同圧制御を実行する場合に、ライン圧を低減させても、調圧弁３３が膠着状態となり、セカンダリ圧センサ２９によって検出したセカンダリ圧はライン圧に応じて低下せず、ライン圧が低下していないと誤判定される。そして、ライン圧の指示圧がさらに低下し、セカンダリ圧とライン圧との差圧が大きくなり、その後、入力ポート４０と出力ポート４１とが連通した場合には、セカンダリ圧の変動が大きくなり、大きな変速ショックが発生する。これに対して、本実施形態の同圧制御を実行することで、調圧弁３３の膠着状態を崩すことができ、入力ポート４０と出力ポート４１とが連通する際に、セカンダリ圧の変動を抑制し、変動によって大きな変速ショックが発生することを抑制することができる。
【００７０】
以上、本発明の実施形態について説明したが、上記実施形態は本発明の適用例の一部を示したに過ぎず、本発明の技術的範囲を上記実施形態の具体的構成に限定する趣旨ではない。
【００７１】
上記実施形態において、ライン圧の指示圧を増加させる必要が生じた場合には、タイマのカウントを停止し、ライン圧の指示圧が増加した時間に基づいて次回のパイロット圧増加時期を遅らせてもよい。これにより、パイロット圧を一時的に増加する回数を少なくすることができる。
【００７２】
また、上記実施形態において、タイマのカウントに応じた予測ライン圧と、実際のセカンダリ圧とを比較し、予測ライン圧が実際のセカンダリ圧となったタイミングでパイロット圧を一時的に増加させてもよい。これによっても同様の効果を得ることができる。
【００７３】
上記実施形態では、タイマを用いて次回のパイロット圧増加時期を設定したが、パイロット圧を一時的に増加した場合のセカンダリ圧の増加量に基づいて次回のパイロット圧増加時期を設定してもよい。具体的には、今回のパイロット圧増加時期におけるライン圧の指示圧から、セカンダリ圧の増加量分、ライン圧の指示圧が低下した時をパイロット圧増加時期とし、パイロット圧を一時的に増加する。これにより、パイロット圧が一時的に増加する回数を少なくすることができる。
【００７４】
上記実施形態では、パイロット圧を一時的に増加し、偏差がゼロ以下の場合に、ライン圧とセカンダリ圧とが同圧であると判定したが、パイロット圧を一時的に増加した場合に変速比がＬｏｗ側に変更されない場合に、ライン圧とセカンダリ圧とが同圧になると判定してもよい。これによっても、ライン圧とセカンダリ圧とが同圧となるかどうか判定することができる。
【００７５】
上記実施形態では、ライン圧とセカンダリ圧とを同圧する同圧制御について説明したが、ライン圧とプライマリ圧とを同圧する場合に、上記制御を適用してもよい。
【００７６】
なお、上記同圧制御をチェーン式無段変速などに用いてもよい。また、パイロット圧を低下することで、入力ポートと出力ポートとが連通する調圧弁を用いてもよく、その場合には、同圧制御においてパイロット圧を一時的に低下する。
【００７７】
本願は２０１４年２月２０日に日本国特許庁に出願された特願２０１４−３０５０６に基づく優先権を主張し、この出願の全ての内容は参照により本明細書に組み込まれる。
【図１】
2015125718.tif 000003
【図２】
2015125718.tif 000004
【図３】
2015125718.tif 000005
【図４】
2015125718.tif 000006
【国際調査報告】
2015125718.tif 000007
2015125718.tif 000008
2015125718.tif 000009
2015125718.tif 000010